(57)【要約】【課題】光学部材、これを用いたバックライトアセンブリー及び液晶表示装置が開示されている。【解決手段】入射された第１光の光学特性を変更させ、第２光を出力するための光学部材本体及び膨張方向に長く形成された固定ホール及び固定ホールに形成されて外部から印加された振動を減衰するための振動減衰部材が形成されるように前記光学部材本体のエッジから平行に突出した第１固定部を含む。熱によって発生した膨張は固定ホールが収容するようにして光学シートにしわが発生しないようにし、固定ホールに形成された振動減衰部材によって光学シートにスクラッチなどが発生しないようにする。
2005535918.tif 000002
【特許請求の範囲】
【請求項１】
入射された第１光の光学特性を変更させ、第２光を出力するための光学部材本体と、
前記光学部材本体の膨張及び収縮を収容するための固定ホール及び前記固定ホールの周辺に形成され、外部から前記光学部材に印加された振動を減衰するための振動減衰手段が形成されるように前記光学部材本体のエッジから平行に突出された第１固定部とを含むことを特徴とする液晶表示装置用光学部材。
【請求項２】
前記第１固定部は、前記光学部材本体のうち、向い合う二つのエッジに形成されることを特徴とする請求項１記載の液晶表示装置用光学部材。
【請求項３】
前記振動減衰手段は、前記固定ホール及び前記第１固定部の境界から前記固定ホールの内部に少なくとも一つが突出した振動減衰突起であることを特徴とする請求項１記載の液晶表示装置用光学部材。
【請求項４】
前記第１固定部のうち、前記固定ホールの周辺には少なくとも一つの貫通孔が形成されたことを特徴とする請求項３記載の液晶表示装置用光学部材。
【請求項５】
前記第１固定部のうち、前記固定ホールから両側に離隔された位置には、少なくとも一つの第１貫通孔が形成されたことを特徴とする請求項３記載の液晶表示装置用光学部材。
【請求項６】
前記第１固定部は、前記光学部材本体の第１エッジに形成され、前記第１エッジと向い合う第２エッジには第２固定部が形成されたことを特徴とする請求項１記載の液晶表示装置用光学部材。
【請求項７】
前記第２固定部には円筒ホールが形成され、前記第２固定部と前記円筒ホールとの境界から前記円筒ホールの中心に向かって突出した少なくとも二つの固定突起が形成されたことを特徴とする請求項６記載の液晶表示装置用光学部材。
【請求項８】
前記固定ホールは、前記光学部材本体の膨張方向に長く形成された長孔であることを特徴とする請求項７記載の液晶表示装置用光学部材。
【請求項９】
底面、前記底面のエッジから収納空間を形成するように突出した側壁、前記側壁のうち、向い合う二つの側壁の上面に形成された収納溝、前記収納溝に前記側壁と平行な方向に突出した固定ボスを含む収納容器と、
前記収納空間に収納され、光を出射するランプと、
前記ランプに結合され、前記光を光学特性が変更された第１光に変える第１光学部材と、
前記第１光の光学特性を変更して、第２光を出力するための第２光学部材本体、固定ホール及び前記固定ホールに形成され、外部から印加された振動を減衰するための振動減衰の手段が形成されるように、前記第２光学部材本体のエッジから平行に突出した第１固定部を有する第２光学部材と、を含むことを特徴とするバックライトアセンブリー。
【請求項１０】
前記第１振動減衰手段は、前記固定ホールと前記第１固定部との境界から前記固定ボスの外周面と接触されるように突出した少なくとも一つの振動減衰突起であることを特徴とする請求項９記載のバックライトアセンブリー。
【請求項１１】
前記固定ボスの外周面には、前記振動減衰の突起と摩擦するように第２振動減衰手段が形成されたことを特徴とする請求項１０記載のバックライトアセンブリー。
【請求項１２】
前記第２振動減衰手段は、前記固定ボスの外周面に形成され、振動を減衰するための凹凸であることを特徴とする請求項１１記載のバックライトアセンブリー。
【請求項１３】
前記第１固定部は、前記光学部材本体の第１エッジに形成され、前記第１エッジと向い合う第２エッジには第２固定部が形成されたことを特徴とする請求項９記載のバックライトアセンブリー。
【請求項１４】
前記第２固定部には円筒ホールが形成され、前記第２固定部と前記円筒ホールとの境界を形成する前記円筒ホールの内面から前記円筒ホールの中心に向かって突出した少なくとも二つの固定突起が形成されたことを特徴とする請求項１３記載のバックライトアセンブリー。
【請求項１５】
前記固定ボスの端部は、テーパー形状を有することを特徴とする請求項９記載のバックライトアセンブリー。
【請求項１６】
前記第１固定部のうち、前記振動減衰手段の両側には少なくとも一つの貫通孔が形成されたことを特徴とする請求項９記載のバックライトアセンブリー。
【請求項１７】
底面、前記底面のエッジから収納空間が形成されるように突出した側壁、前記側壁のうち、向い合う二つの側壁の上面に形成された収納溝、前記収納溝に前記側壁と平行な方向に突出した固定ボスを含む収納容器と、
前記収納空間に収納されたランプ、前記ランプから発生した入射光を光学特性が変更された第１光に変える第１光学部材を含む光学モジュールと、
前記第１光の光学特性を変更して第２光を出力するための第２光学部材本体、前記第２光学部材本体のエッジには膨張方向に長く形成されて前記固定ボスに介在される固定ホール及び前記固定ホールに形成され、外部から印加された振動を減衰するための第１振動減衰手段が形成されるように前記第２光学部材本体から平行に突出した第１固定部を有する第２光学部材と、
前記光学シートの上面に位置するように前記収納容器に設置され、前記第２光を情報が含まれたイメージ光に変更する液晶表示パネルアセンブリーと、
一側には前記液晶表示パネルアセンブリーを加圧し、他側には収納容器と結合されるシャーシと、を含むことを特徴とする液晶表示装置。
【請求項１８】
前記第１駆動振動減衰手段は、前記固定ホールと前記第１固定部との境界から前記固定ボスの外周面と接触されるように突出した少なくとも一つの振動減衰突起であることを特徴とする請求項１７記載の液晶表示装置。
【請求項１９】
前記第１固定部は、前記第２光学部材本体の第１エッジに形成され、前記第１エッジと向い合う第２エッジには、第２固定部が形成されたことを特徴とする請求項１７記載の液晶表示装置。
【請求項２０】
前記第２固定部には円筒ホールが形成され、前記第２固定部と前記円筒ホールとの境界を形成する前記円筒ホールの内面から前記円筒ホールの中心に向かって突出した少なくとも二つの固定突起が形成されたことを特徴とする請求項１９記載の液晶表示装置。
【発明の詳細な説明】
【技術分野】
【０００１】
本発明は、光学部材、これを用いたバックライトアセンブリー及び液晶表示装置に係わり、特に、接着部材を用いずに外部から印加された振動によってスクラッチが発生しないようにしながら熱などによって発生した伸縮を収容するようにした光学部材、これを用いたバックライトアセンブリー及び液晶表示装置に関する。
【背景技術】
【０００２】
一般的に、液晶表示装置（ＬＣＤ）は、液晶に情報を表示する装置である。
情報を表示するために、従来液晶表示装置は、表示に必要な光を発生する光供給パート、供給された光の輝度を均一にする光学パート及び液晶を制御する液晶制御パートを含む。
【０００３】
液晶表示装置に用いられる光供給パートは寿命が長く、白色光を発生し、熱発生量が比較的小さい冷陰極線管方式ランプ（ＣＣＦＬ）を含む。
【０００４】
光学パートは、冷陰極線管方式ランプから発生した光の輝度を均一にする役割を果たす。光学パートは、液晶表示装置の種類によって少しずつ異なるが共通的に光学シートを有する。
【０００５】
光学シートは、冷陰極線管方式ランプから発生した光を拡散させ、輝度分布を均一にするための拡散シート、輝度分布がより均一に加工された光を集光するプリズムシートなどで構成される。
【０００６】
他にも、光学パートには導光板（ＬＧＰ）を用いることができる。導光板は冷陰極線管方式ランプから発生した光を面光源の光学分布を持たせる役割を果たす。
【０００７】
液晶制御パートは、液晶を画素単位に制御して、光学パートで加工された光の透過率が画素単位で制御されるようにする。このような液晶制御パートの動作によって画像は表示される。
【０００８】
液晶表示装置でディスプレイを遂行可能にする光供給パート、光学パート及び液晶制御パートは全て重要であるが、この中で光学パートは表示品質に大きい影響を及ぼす。
【０００９】
前述した光学パートの拡散シート又はプリズムシートは主に両面接着テープで固定されるが、拡散シート又はプリズムシートの延長部にホールを形成することによりボスなどに固定する方式で固定される。
【００１０】
しかし、光学パートは主に合成樹脂を厚さが薄いシート形状に加工して制作するため、熱によって膨張する。
【００１１】
しかし、光学パートが両面接着テープなどによって堅固に固定された状態で膨張する場合、膨張した長さを光学パートが収容不可能になる。
この場合、光学パートにしわ（ｗｒｉｎｋｌｅ）が発生して深刻な表示不良を発生させる。具体的に、光学パートにしわが発生する場合、表示途中にしみが発生する。
【００１２】
これを防止するために、光学パートは多少動くことが可能であるように固定される。
しかし、このように光学パートが多少動くことが可能であるように固定される場合、光学パートは外部から加えられた振動によって光学パートと隣接に位置した液晶制御パートなどと摩擦を起こすようになる。
光学パートと液晶制御パートが摩擦を起こす場合、液晶制御パート又は光学パートには深刻なスクラッチが発生して表示不良が発生する。
【発明の開示】
【発明が解決しようとする課題】
【００１３】
したがって、本発明はこのような従来問題点を勘案したものであって、本発明の第１目的は、接着物質を用いず熱による膨張及び外部から加えられた振動によるスクラッチが発生しない光学部材を提供することにある。
【００１４】
本発明の第２目的は、外部から加えられた熱による膨張及び外部から加えられた振動によってスクラッチが発生しないようにして高品質の表示を可能にしたバックライトアセンブリーを提供することにある。
【００１５】
本発明の第３目的は、外部から加えられた熱による膨張及び外部から加えられた振動によってスクラッチが発生しないようにして高品質の表示を可能にした液晶表示装置を提供することにある。
【課題を解決するための手段】
【００１６】
このような本発明の第１目的を具現するために本発明は、入射された第１光の光学特性を変更させ、第２光を出力するための光学部材本体、及び膨張方向に長く形成された固定ホール及び固定ホールに形成されて外部から印加された振動を減衰するための振動減衰手段が形成されるように前記光学部材本体のエッジから平行に突出した第１固定部を含む光学部材を提供する。
【００１７】
また、本発明の第２目的を具現するために本発明は、底面、底面のエッジから収納空間を形成するように突出した側壁、側壁のうち、向い合う二つの側壁の上面に形成された収納溝、収納溝に前記側壁と平行な方向に突出した固定ボスを含む収納容器、収納空間に収納され、光を出射するランプ、ランプに結合され、光を光学特性が変更された第１光に変える第１光学部材、第１光の光学特性と変更して、第２光を出力するための第２光学部材本体、膨張方向に長く形成された固定ホール及び固定ホールに形成され、外部から印加された振動を減衰するための振動減衰手段が形成されるように、前記第２光学部材本体のエッジから平行に突出した第１固定部を有する第２光学部材を含むバックライトアセンブリーを提供する。
【００１８】
また、本発明の第３目的を具現するために本発明は、底面、底面のエッジから収納空間が形成されるように突出した側壁、側壁のうち、向い合う二つの側壁の上面に形成された収納溝、収納溝に側壁と平行な方向に突出した固定ボスを含む収納容器、収納空間に収納されたランプ、ランプから発生した入射光を光学特性が変更された第１光に変える第１光学部材を含む光学モジュール、第１光の光学特性を変更し、第２光を出力するための第２光学部材本体、第２光学部材本体のエッジには膨張方向に長く形成されて固定ボスに介在される固定ホール及び前記固定ホールに形成され、外部から印加された振動を減衰するための第１振動減衰手段が形成されるように前記第２光学部材本体から平行に突出した第１固定部を有する第２光学部材、光学シートの上面に位置するように前記収納容器に設置され、第２光を情報が含まれたイメージ光に変更する液晶表示パネルアセンブリー及び一側には液晶表示パネルアセンブリーを加圧し、他側には収納容器と結合されるシャーシを含む液晶表示装置を提供する。
【発明を実施するための最良の形態】
【００１９】
以下、添付した図面を参照して本発明の望ましい実施例を詳細に説明する。
第１実施例
図１は、本発明の第１実施例による光学部材の側面図である。
図１を参照すると、光学部材１００は第１領域１７０で発生した第１光１７５の光学特性を変更させ、第２領域１８０に第２光１７７を出射する役割を果たす。
ここで、光学特性は輝度均一性、方向性及び利用効率である。
【００２０】
光学部材１００がこのように多様な光学特性を全て満す場合、一枚の光学部材１００のみを用いてもよいが、一枚の光学部材１００で輝度均一性、方向性及び利用効率を全て満足しにくいので、普通光学部材１００は３枚が共に用いられる。
【００２１】
光学部材１００のうち、第１光１７５の輝度均一性を向上させ、第２光１７７を出射するシートは「拡散シート」と称する。
拡散シートは、第１光１７５を拡散させ、光学部材１００の全面積にかけてより均一な輝度を有する第２光１７７が出射されるようにする。
【００２２】
一方、光学部材１００のうち、第１光１７５の視野角が改善された第２光１７７を出射するシートは「プリズムシート」と称する。
プリズムシートは、第１光１７５の方向が光学部材１００に対して垂直に近い方向を有するように変更して、視野角が改善された第２光１７７が出射されるようにする。
【００２３】
第１光１７５の利用効率を向上させる光学部材１００は「デュアル輝度強化フィルム（Ｄｕｅｌ  Ｂｒｉｇｈｔｎｅｓｓ  Ｅｎｈａｎｃｅｄ  Ｆｉｌｍ、ＤＢＥＦ、製品名、デュポン）」と称する。デュアル輝度強化フィルムは第１光１７５を再生して利用効率が極大化及び輝度が向上された第２光１７７が出射されるようにする。
【００２４】
図２は本発明の第１実施例による光学部材の平面図である。
図２を参照すると、多様な光学特性を有する光学部材１００は共通的に厚さが薄いプレート又はシート形状を有する。
各光学部材１００は光学部材本体１１０及び第１固定部１２０を含む。
【００２５】
光学部材本体１１０は前述したように第１光１７５の輝度均一性又は第１光１７５の方向性又は第１光１７５の利用効率を向上させる。
本発明では望ましくは、光学部材本体１１０が長方形の形状を有する。これによって光学部材本体１１０は四つのエッジを有する。以下、光学部材本体１１０に形成された四つのエッジに図面符号１１１、１１２、１１３、及び１１４を付与する。
【００２６】
このような形状を有する光学部材本体１１０を固定するために本発明の第１実施例では第１固定部１２０が形成される。
第１固定部は、光学部材本体１１０の形状を変更せず、光学部材本体１１０に形成することができる。しかし、このように光学部材本体１１０の形状を変更せず第１固定部を形成する場合、光学部材本体１１０の機能を多少低下させる可能性があるので望ましくはない。
【００２７】
このような理由から、第１固定部１２０は図２に示したように光学部材本体１１０のエッジから突出するように形成される。望ましくは、第１固定部１２０は互いに向い合う二つのエッジ１１２、１１４から各々二つずつ延びられて形成される。ここで、第１固定部１２０は相互離隔するように形成される。
【００２８】
ここで、第１固定部１２０は、単純に光学部材本体１１０を固定させる機能と共に光学部材本体１１０が熱によって膨張したとき及び外部から振動が加えられたとき、表示品質が低下しない構造を共に有する。
【００２９】
図３は、図２のＡ部分の拡大図である。
図３を参照すると、第１固定部１２０は固定ホール１２２及び振動減衰突起１２４を含む。
固定ホール１２２は、光学部材本体１１０が熱によって膨張したとき、光学部材本体１１０にしわが発生しないようにすると同時に光学部材本体１１０が指定された位置に固定されるようにする。
【００３０】
ここで、光学部材本体１１０にしわが発生しないようにするため、固定ホール１２２は一実施例として長孔形状を有する。ここで、長孔形状を有する固定ホール１２２の長軸方向は非常に重要である。固定ホール１２２の長軸方向は、光学部材本体１１０の主膨張方向と一致する。
【００３１】
振動減衰突起１２４は、固定ホール１２２によって光学部材本体１１０が移動する可能性がある構造にもかかわらず、外部から印加された振動を減衰させる役割を果たす。
【００３２】
振動減衰突起１２４は、第１固定部１２０と固定ホール１２２の境界に該当する固定ホールの内面から固定ホール１２２の中心に向かう方向に少なくとも一つが突出する。
【００３３】
振動減衰突起１２４は、固定ホール１２２に介在される部材（図示せず）と密着され、光学部材本体１１０に加えられた振動を吸収する役割を果たす。
ここで、振動減衰突起１２４は寸法が小さく、数が多いほど有利である。
ここで、固定ホール１２２を基準として振動減衰突起１２４は、互いに向い合うように配置されたり、あるいは互いに交互的に配置されても両方ともよい。
【００３４】
実施例２
図４は、本発明の第２実施例による光学部材の平面図である。図４を参照すると、光学部材１００は、光学部材本体１１０及び第１固定部１３０を含む。
光学部材本体１１０は、直六面体形状のシート又はプレート形状を有する。これによって光学部材本体１１０は、四つのエッジ１１１、１１２、１１３、１１４を有する。
第１固定部１３０は、四つのエッジのうち、向い合う二つのエッジ１１２、１１４に各々形成される。
【００３５】
第１固定部１３０は、図面符号１１２及び図面符号１１４で示したエッジから相互所定間隔に離隔され二つが形成され、光学部材本体１１０と平行な方向に突出する。
【００３６】
図５は、図４のＢ部分の拡大図である。図５を参照すると、第１固定部１３０には第１実施例と同様な固定ホール１３２及び振動減衰突起１３４が形成される。固定ホール１３２の周辺には少なくとも一つの第１貫通孔１３６が形成される。図５には望ましくは三つの第１貫通孔１３６が形成される。ここで、第１貫通孔１３６は固定ホールの一側又は両側に一列に配置される。
【００３７】
図６は、図４のＣ部分の拡大図である。図６を参照すると、第１貫通孔１３６は固定ホール１３２を基準として固定ホール１３２の両側に一つずつ固定ホール１３２と並んで形成される。
このように多様な形態で制作が可能である第１貫通孔１３６、１３８は固定ホール１３２に介在される部材（図示せず）が円滑に介在されるようにする役割を果たす。
【００３８】
第３実施例
図７は、本発明の第３実施例による光学部材の平面図である。
図７を参照すると、光学部材１００は、光学部材本体１１０、第１固定部１４０及び第２固定部１５０を含む。
光学部材本体１１０は、直六面体形状のシート又はプレート形状を有する。これによって、光学部材本体１１０は四つのエッジを有する。
【００３９】
以下、四つのエッジに図面番号１１１、図面符号１１２、図面符号１１３、及び図面符号１１４を付与する。
第１固定部１４０は、四つのエッジのうち、図面符号１１４で示したエッジから突出する。具体的に、第１固定部１４０は、相互所定間隔に離隔されるように少なくとも一つ、望ましくは二つが形成される。
【００４０】
第１固定部１４０には、第２実施例と同様な固定ホール１４２及び振動減衰突起１４４が形成される。固定ホール１４２の形状及び振動減衰突起１４４は前述した第２実施例と同様であるので重複された説明は省略する。
【００４１】
ここで、固定ホール１４２の周辺には少なくとも一つの第１貫通孔１４６が形成される。より具体的には、第１貫通孔１４６は、固定ホール１４２を基準として固定ホール１４２の両側に一つずつ並んで形成される。
【００４２】
第２固定部１５０は、光学部材本体１１０の四つのエッジのうち、図面符号１１２で示したエッジに形成される。即ち、第２固定部１５０は、第１固定部１４０と相互対向する関係を有する。
【００４３】
第２固定部１５０は、図面符号１１２で示したエッジから相互所定間隔に離隔されるように二つが突出する。
第２固定部１５０には、円筒ホール１５２及び固定突起１５４が形成される。
固定突起１５４は円筒ホール１５２と第２固定部１５０との境界部分に該当する円筒ホールの内面から円筒ホール１５２の中心に向かう方向に少なくとも二つが突出する。
【００４４】
望ましくは、固定突起１５４は９０℃間隔に四つが形成される。
固定突起１５４は光学部材本体１１０が膨張しても指定された位置で動かないようにする役割を遂行する。
このように、光学部材本体１１０、第１固定部１４０及び第２固定部１５０を有する光学部材１００に熱が加えられる場合、光学部材本体１１０は膨張し始める。
【００４５】
ここで、光学部材本体１１０が膨張する場合、光学部材本体１１０のうち、第２個底部１５０に結合された部分が固定されているので、膨張する部分は第１固定部１４０で収容するようになる。
また、第２固定部１５０が固定された状態で外部から加えられた振動は第１固定部１４０及び第２個底部１５０に印加され、外部から加えられた振動は第１固定部１４０に形成された振動減衰突起１４４によって大部分吸収される。
【００４６】
以下、前述した第１実施例乃至第３実施例による光学部材を用いたバックライトアセンブリーをより具体的に説明すると次のようである。
図８は、本発明によるバックライトアセンブリーの概念図である。
図８を参照すると、第４実施例によるバックライトアセンブリー５００は、収納容器２００、ランプアセンブリー３００、光学モジュール４００及び光学部材１００で構成される。
【００４７】
収納容器２００は、底面２１０及び側壁２２０で構成される。
底面２１０は、長方形形状を有し、四つの底面エッジを有する。
側壁２２０は、底面エッジから収納空間が形成されるように一方向に延びる。以下、四つの側壁２２０に図面符号２２１、図面符号２２３、図面符号２２５及び図面符号２２７を付与する。
【００４８】
図９は、本発明による収納容器の一部を示した部分切開斜視図である。
図９を参照すると、収納容器２００の側壁２２０のうち、図面符号２２３及び図面符号２２７で示した向い合う側壁には収納溝２２３ａ、２２７ａが形成され、各収納溝２２３ａ、２２７ａには固定ボス２２３ｂ、２２７ｂが形成される。
【００４９】
収納溝２２３ａ、２２７ａは、側壁２２０の上面及び内側面の角に形成される。収納溝２２３ａ、２２７ａは、相互所定間隔に離隔されるように一対が形成される。
固定ボス２２３ｂ、２２７ｂは、収納溝２２３ａ、２２７ａの基底面に少なくとも一つが形成される。本発明では、収納溝２２３ａ、２２７ａの基底面には各々固定ボス２２３ｂ、２２７ｂが形成される。
【００５０】
ここで、固定ボス２２３の端部は、丸く加工されたり、面取りされ、後述する光学部材の結合が容易するように加工される。
図８を参照すると、ランプアセンブリー３００は、ランプ３１０、ランプホルダー（図示せず）及びランプカバー３２０で構成される。
ランプ３１０は寿命が長く、小さい直径で制作が可能であり、光を発生させる過程で熱の発生が少ない特徴を有することが望ましい。このような理由からランプ３１０としては主に冷陰極線管方式ランプが用いられる。
【００５１】
ランプカバー３２０はランプ３１０を収納する。ランプカバー３２０はランプ３１０から放射状に発生した光が一方向にのみ出射するようにする。
これを具現するために、ランプカバー３２０はランプ３１０の一部分を囲むように光反射率が高いプレートを丸く切曲げて制作する。
ランプホルダーは、ランプ３１０の両端部に一対が設置され、ランプカバー３２０の内部に設置される。
【００５２】
光学モジュール４００は、ランプアセンブリー３００で発生した光の光学分布及び方向を変更する役割を果たす。
これを具現するために、光学モジュール４００は一実施例として、四つの側面、光反射面及び光出射面を有する直六面体形状を有する。
光学モジュール４００の四つの側面のうち、向い合う二つの側面には前述したランプアセンブリー３００のランプカバー３２０が介在されて設置される。
【００５３】
光学モジュール４００は、ランプアセンブリー３００のランプ３１０で発生した線光源光学分布を有する光を光反射させて面光源分布に変更させる。また、光学モジュール４００はランプ３１０から発生した光が光反射面で反射された後、光出射面に出射されるようにして光の進行方向を変更する役割を果たす。
【００５４】
光学モジュール４００の上面には光学部材１００が設置される。  光学部材１００は少なくとも一枚のシートで構成される。光学部材１００は光学モジュール４００の光出射面から出射された光の輝度分布を改善する拡散シート、視野角を改善するためのプリズムシート及びデュアル輝度強化フィルム（ＤＢＥＦ）を含む。
【００５５】
このように構成された光学部材１００は、共通的に光学シート本体１１０及び固定部を有する。
光学シート本体１１０は、収納容器２００の収納空間に収納するのに適合した長方形の形態を有し、これによって四つのエッジを有する。
【００５６】
固定部は、第１固定部１４０及び第２固定部１５０で構成される。
第１固定部１４０は、光学シート本体１１０に形成された四つのエッジのうち、図面符号１１４で示したエッジに形成される。具体的に、エッジ１１４には第１固定部１４０が相互離隔されるように二つが形成される。
【００５７】
第２固定部１５０は、光学シート本体１１０に形成された四つのエッジのうち、第１固定部１４０と向い合うエッジ１１２に相互離隔されるように二つが形成される。
図１０は、本発明による第１固定部及び固定ボスの結合関係を示した平面図である。
【００５８】
図１０を参照すると、第１固定部１４０は、固定ホール１４２、振動減衰突起１４４及び貫通孔１４６を有する。
固定ホール１４２は、光学シート本体１１０の主膨張方向に形成される。
振動減衰突起１４４は、固定ホール１４２と第１固定部１４０との境界から固定ホール１４２の内部に向かって突出する。
【００５９】
固定ホール１４２には、前述した固定ボス２２７ｂが挿入され、固定ボス２２７ｂは振動減衰突起１４４の外側面に接触している。
図１１は、本発明の一実施例による第２固定部１５０及び固定ボスの結合関係を示した平面図である。
【００６０】
第２固定部１５０は、円筒ホール１５２、固定突起１５４を含む。円筒ホール１５２は、固定ボス２２３ｂの直径より多少大きい直径を有する。
固定突起１５４は、円筒ホール１５２及び第２個底部１５０の境界面から円筒ホール１５２の中心に向かう方向に少なくとも二つが突出するようにして固定ボス２２３ｂが円筒ホール１５２の内部で動かないようにする。
【００６１】
この固定突起１５４は、円筒ホール１５２に固定ボス１５０が円滑に固定されるようにする役割を果たす。
図１２は、本発明の他の実施例による第１固定部及び固定ボスの結合関係を示した平面図である。
図１２を参照すると、第１固定部１４０は第４実施例と同様に固定ホール１４２、振動減衰突起１４４及び貫通孔１４６で構成される。
【００６２】
ここで、固定ホール１４２に介在される固定ボス２２７ｃは、外側面に沿って軸の方向と平行な複数の凹凸２２７ｄを有する。この凹凸２２７ｄは、振動減衰突起１４４とかみ合わさることによって振動減衰突起１４４がより効率的な振動減衰が可能であるようにする。
【００６３】
図１３は、本発明による液晶表示装置の斜視図である。
以下、第１実施例乃至第３実施例で詳細に説明した光学部材、バックライトアセンブリーに対しては重複された説明を省略し、前述した部分に対しては同じ参照符号及び名称で示す。
【００６４】
図１３を参照すると、液晶表示装置８００は、バックライトアセンブリー５００、液晶表示パネルアセンブリー６００及びシャーシ７００で構成される。
液晶表示パネルアセンブリー６００は、バックライトアセンブリー５００の構成要素である光学部材１００の上面に位置し、収納容器２００によって固定される。
液晶表示パネルアセンブリー６００は、液晶表示パネル６１０及び駆動モジュール６２０、６３０で構成される。
【００６５】
液晶表示パネル６１０は、光学部材１００を通過した光量を調節し、光量が調節された光がカラーフィルターを通過するようにして最終的に希望する画像が表示されるようにする。
【００６６】
図１４は、図１３に示した液晶表示装置の断面図である。図１５は、図１４に示したＴＦＴの等価回路図である。
図１４又は図１５を参照すると、液晶表示パネル６１０は、ＴＦＴ基板６０４、液晶６０９及びカラーフィルター基板６０５で構成される。
ＴＦＴ基板６０４は、ガラス基板６０１、薄膜トランジスタ６０２及び画素電極６０３で構成される。
薄膜トランジスタ６０２は、薄膜製造工程によってガラス基板６０１にマトリクス形態に配列される。
【００６７】
具体的に、薄膜トランジスタ６０２はゲート電極Ｇ、絶縁膜Ｉ、チャンネル層Ｃ、ソース電極Ｓ及びドレイン電極Ｄで構成される。
この薄膜トランジスタ６０２のドレイン電極Ｄには画素電極６０３が形成される。
画素電極６０３は、透明でありながら導電性であるインジウムスズ酸化物ＩＴＯ又はインジウム亜鉛酸化物ＩＺＯで制作される。
【００６８】
このような構成を有する薄膜トランジスタ６０２を個別的に駆動するためには、図１５に示したようにマトリクスの形態に配置された薄膜トランジスタ６０２のうち、同じ行に属した全ての薄膜トランジスタのゲート電極Ｇは一つのゲートライン６０２ａによって連結される。
【００６９】
また、マトリクスの形態に配列された薄膜トランジスタ６０２のうち同じ列に属した全ての薄膜トランジスタのソース電極Ｓは一つのデータライン６０２ｂによって連結される。
再び図１４を参照すると、カラーフィルター基板６０５は、ガラス基板６０６、カラーフィルター基板６０７及び共通電極６０８で構成される。
【００７０】
カラーフィルター６０７は、ガラス基板６０６に画素電極６０３と向い合うようにマトリクスの形態に形成される。カラーフィルター６０７は、感光物質に顔料を混合した物質で構成され、赤色波長の光を選択的に出射する赤色カラーフィルター、緑色波長の光を選択的に出射する緑色カラーフィルター及び青色波長の光を選択的に出射する青色カラーフィルターで構成される。添付した図１４にはこれらのある一つのカラーフィルターのみが示されている。
【００７１】
共通電極６０８は、カラーフィルター６０７がカバーされるようにガラス基板６０６の全面にかけて形成され、画素電極６０３に印加された電源によって液晶を配列するのに必要な電界が形成されるようにする。
このような構成を有するＴＦＴ基板６０４とカラーフィルター基板６０５との間には、液晶６０９が注入された後密封される。
【００７２】
図１３に示した駆動モジュール６２０、６３０は、液晶表示パネル６１０を駆動するための印刷回路基板６２０及び印刷回路基板６２０と液晶表示パネル６１０を連結するテープキャリアパッケージ６３０で構成される。
【００７３】
シャーシ７００は、このような構成を有する液晶表示パネルアセンブリー６００が収納容器２００に設置された状態で液晶表示パネルアセンブリー６００が収納容器２００から離脱することを防止する役割及び外部から加えられた衝撃によって割れやすい液晶表示パネルアセンブリーを保護する役割を果たす。
【産業上の利用可能性】
【００７４】
以上で詳細に説明したように、外部から加えられた振動及びランプから発生した熱による膨張を表示品質の低下なしに解決することによって、より良質の表示を遂行できるようにする効果を生じる。
【００７５】
以上、本発明の実施例によって詳細に説明したが、本発明はこれに限定されず、本発明が属する技術分野において通常の知識を有するものであれば本発明の思想と精神を離脱することなく、本発明を修正または変更できる。
【図面の簡単な説明】
【００７６】
【図１】本発明の第１実施例による光学部材の側面図である。
【図２】本発明の第１実施例による光学部材の平面図である。
【図３】図２のＡ部分の拡大図である。
【図４】本発明の第２実施例による光学部材の平面図である。
【図５】図４のＢ部分の拡大図である。
【図６】図４のＣ部文の拡大図である。
【図７】本発明の第３実施例による光学部材の平面図である。
【図８】本発明によるバックライトアセンブリーの概念図である。
【図９】本発明のよる収納容器の側壁の一部を示した分部切開斜視図である。
【図１０】本発明による第１固定部及び固定ボスの結合関係を示した平面図である。
【図１１】本発明の一実施例による第２固定部及び固定ボスの結合関係を示した平面図である。
【図１２】本発明の他の実施例による第１固定部及び固定ボスの結合関係を示した平面図である。
【図１３】本発明による液晶表示装置の斜視図である。
【図１４】図１３に示した液晶表示パネルの断面図である。
【図１５】図１４に示したＴＦＴの等価回路図である。
【符号の説明】
【００７７】
１００    光学部材
１１０    光学部材本体
１１１、１１２、１１３、１１４    エッジ
１２０、１３０、１４０    第１固定部
１２２、１３２、１４２    固定ホール
１２４、１３４、１４４    真空減衰突起
１３６、１３８、１４６    第１貫通孔
１５０    第２固定部
１５２    円筒ホール
１５４    固定突起
１７０    第１領域
１７５    第１光
１７７    第２光
１８０    第２領域
２００    収納容器
２１０    底面
２２０、２２１、２２３、２２５、２２７    側壁
３００    ランプアセンブリー
３１０    ランプ
３２０    ランプカバー
４００    光学モジュール
５００    バックライトアセンブリー
６００    液晶表示パネルアセンブリー
６０１、６０６    ガラス基板
６０２    薄膜トランジスタ
６０３    画素電極
６０４    ＴＦＴ基板
６０５    カラーフィルター基板
６０７    カラーフィルター
６０８    共通電極
６０９    液晶
６１０    液晶表示パネル
６２０、６３０    駆動モジュール
６３０    テープキャリアパッケージ
７００    シャーシ
８００    液晶表示装置
【図１】
2005535918.tif 000003
【図２】
2005535918.tif 000004
【図３】
2005535918.tif 000005
【図４】
2005535918.tif 000006
【図５】
2005535918.tif 000007
【図６】
2005535918.tif 000008
【図７】
2005535918.tif 000009
【図８】
2005535918.tif 000010
【図９】
2005535918.tif 000011
【図１０】
2005535918.tif 000012
【図１１】
2005535918.tif 000013
【図１２】
2005535918.tif 000014
【図１３】
2005535918.tif 000015
【図１４】
2005535918.tif 000016
【図１５】
2005535918.tif 000017
【国際調査報告】
2005535918.tif 000018
2005535918.tif 000019